(57)【要約】【課題】  組付が容易でヨークの位置決め精度を高くすることができ、更に小型・軽量化が可能な磁気ヘッドを提供する。【解決手段】  略コ字状をなし中央部１３ｃにコイル１４、１５が巻回され、各先端側１３ａ、１３ａの端面が所定のギャップｇを存して対向し、各基端側１３ｂ、１３ｂの端面が密着して形成された一対のヨーク１３、１３をケース１２に収納してなる磁気ヘッド１１であって、ヨーク１３の両端１３ａ、１３ｂの近傍を夫々固定ねじ１７、１８で固定してケース１２に収納する構成としたものである。【選択図】    図１
2006302356.tif 000002
【特許請求の範囲】
【請求項１】
略コ字状をなし中央部にコイルが巻回され、各先端側の端面が所定のギャップを存して対向し、各基端側の端面が密着して形成された一対のヨークをケースに収納してなる磁気ヘッドであって、
前記ヨークの両端近傍を夫々固定ねじで固定し、前記ケースに収納することを特徴とする磁気ヘッド。
【請求項２】
請求項１に記載の磁気ヘッドにおいて、前記一対のヨークの片側にホルダを配置し、前記一対のヨークを前記ホルダに前記固定ねじで固定することを特徴とする磁気ヘッド。
【請求項３】
前記一対のヨークの前記先端側を固定する固定ねじは、非磁性部材により形成されていることを特徴とする請求項１又は２記載の磁気ヘッド。
【発明の詳細な説明】
【技術分野】
【０００１】
本発明は、磁気ヘッドに関し、特に組付が容易でヨークの位置決め精度を高くすると共に組立工数も低減することができ、小型・軽量化が可能な磁気ヘッドに関する。
【背景技術】
【０００２】
近年、自動販売機の普及に伴い紙幣の使用頻度が高くなってきており、これに伴い紙幣を確実に識別することが必要不可欠とされている。紙幣の識別には種々の手段があり、例えば、紙幣に磁気テープ様の磁性を有するスレッドを設け、このスレッドを磁気ヘッドにより検出することで識別するようにしたものがある。このような磁気ヘッドとしては、例えば、図２に示すようなものがある。
【０００３】
この磁気ヘッド１は、ケース２内に、コ字状をなし各先端部３ａが僅かなギャップｇを存して対向し、各基端部３ｂが密着された１対のヨーク３と、これらのヨーク３の中央部３ｃ、３ｃに巻回されたコイル４、５と、一対のヨーク３を両側から挟持固定して支持する一対のホルダ６と、各ヨーク３の基端部３ｂ及び各ホルダ６の基端部６ｂとを支持する端子台７、及び当該端子台７に固定されコイル４、５に接続された接続端子８、８が収納され、エポキシ樹脂部材等の充填材９を充填されて構成されている。尚、充填材９は、磁気ヘッド１の特性に影響するものではない。各ヨーク３の先端部３ａの外面３ｄは、検出面（以下、「検出面３ｄ」という）とされている（例えば、特許文献１参照。）。
【０００４】
不図示の紙幣に設けられた磁性を有する媒体が磁気ヘッド１の検出面３ｄのギャップｇを横切ると、ヨーク３を通る磁束が変化し、この磁束の変化をコイル４、５により検出して前記スレッドの有無を検知し、前記紙幣を識別する。
【特許文献１】特開平１０−２６９５１７号公報
【発明の開示】
【発明が解決しようとする課題】
【０００５】
しかしながら、上記磁気ヘッド１は、両側のホルダ６、６の先端部６ａ、基端部６ｂの側面にヨーク３、３の先端部３ａ、基端部３ｂの側面を接着剤で固定し、これらのホルダ６、６によりヨーク３、３を挟んで基端部３ｂ、３ｂの対向する端面を密着させ、基端部６ｂ、６ｂを端子台７に接着剤で固定するために組み付に非常に手間が掛かり、作業性が悪い。また、ヨーク３、３の位置決め精度が悪く、これに伴い検出精度が悪い等の問題がある。
【０００６】
本発明は、上述の点に鑑みてなされたもので、組付が容易でヨークの位置決め精度を高くすることができ、更に小型・軽量化、部品の削減が可能な磁気ヘッドを提供することを目的とする。
【課題を解決するための手段】
【０００７】
上記目的を達成するために請求項１の磁気ヘッドは、略コ字状をなし中央部にコイルが巻回され、各先端側の端面が所定のギャップを存して対向し、各基端側の端面が密着して形成された一対のヨークをケースに収納してなる磁気ヘッドであって、前記ヨークの両端近傍を夫々固定ねじで固定し、前記ケースに収納することを特徴としている。
請求項２の磁気ヘッドは、請求項１において、前記一対のヨークの片側にホルダを配置し、前記一対のヨークを前記ホルダに前記固定ねじで固定することを特徴としている。
【０００８】
請求項３の磁気ヘッドは、請求項１又は２において、前記一対のヨークの前記先端側を固定する固定ねじは、非磁性部材により形成されていることを特徴としている。
【発明の効果】
【０００９】
請求項１の発明によれば、一対のヨークをねじで固定することでヨーク同士の位置決め精度を向上させることができると共に、接着剤が不要であり、組付作業性の向上が図られる。また、磁気ヘッドの小型・軽量化、及び部品の削減が可能である。
また、請求項２の発明によれば、一対のヨークの片側に配置したホルダに一対のヨークを固定ねじで固定することで、ヨークを強固に支持することができると共に磁気ヘッドの小型・軽量化を図ることが可能となる。
【００１０】
また、請求項３の発明によれば、一対のヨークの先端側を固定する固定ねじは、非磁性部材とすることにより、ギャップが設けられた先端側の磁気回路に磁気的な影響を及ぼすことが防止される。
【発明を実施するための最良の形態】
【００１１】
以下本発明の実施形態を図面により詳細に説明する。
図１は、本発明に係る磁気ヘッドの実施形態を示す断面図で、磁気ヘッド１１は、ケース１２内に、コ字状をなし先端部１３ａ、１３ａが僅かなギャップｇを存して対向し、基端部１３ｂ、１３ｂが密着された１対のヨーク１３、１３と、これらのヨーク１３、１３の中央部１３ｃ、１３ｃに巻回されたコイル１４、１５と、ヨーク１３、１３を片側から支持するホルダ１６と、ヨーク１３、１３をホルダ１６に固定する固定ねじとしてのボルト１７、１８と、ヨーク１３、１３の基端部１３ｂ、１３ｂ、ホルダ１６の基端部１６ｂを支持する端子台１９と、端子台１９に固定されコイル１４、１５に接続された端子２０、２０が収納されて構成されている。
【００１２】
ケース１２は、左右の幅に対して上下に僅かに長い箱体をなし、上面１２ａが外方（上方に）凸の曲面をなして被検査対象物の摺動面（以下「摺動面１２ａ」という）とされており、中央に角穴１２ｂが設けられている。この角穴１２ｂは、後述するヨーク１３の先端部１３ａが収納される。
ヨーク１３、１３の先端部１３ａ、１３ａの外面１３ｄ、１３ｄは、外方に凸の一つの曲面をなして検出面（以下、「検出面１３ｄ」という）とされており、先端部１３ａ、基端部１３ｂの付け根近傍にボルト孔（貫通孔）１３ｅ、１３ｆが設けられている。このヨーク１３は、磁性部材例えば、パーマロイにより形成されている。
【００１３】
ホルダ１６は、一対のヨーク１３の片側に配置されており、中央部１６ｃがヨーク１３の中央部１３ｃに巻回されているコイル１５と対応して切り欠かれたコ字状をなし、先端部１６ａ近傍及び基端部１６ｂ近傍の前記ヨーク１３のボルト孔１３ｅ、１３ｆと対応する位置にねじ孔１６ｅ、１６ｆが形成されている。ホルダ１６の先端面１６ｄは、ヨーク１３の検出１３ｄよりもケース１２の板厚分だけ低く（短く）形成されている。このホルダ１６は、非磁性部材例えば、樹脂部材により形成されている。尚、ホルダ１６としては、前記樹脂部材の他にアルミダイキャスト、亜鉛ダイキャスト等を使用してもよい。
【００１４】
ヨーク１３の先端部１３ａをホルダ１６に固定するボルト１７は、非磁性部材例えば、樹脂部材、真鍮やステンレス等の非鉄金属部材により形成されており、磁気ギャップｇにおける磁気回路に影響を及ぼさないようにされている。尚、ヨーク１３の基端部１３ｂ側をホルダ１６に固定するためのボルト１８は、必ずしも非磁性部材である必要はなく、磁性材料で形成したボルト例えば、通常の鉄製のボルト或いは、フェライトコアで形成したボルト等を使用しても良い。
【００１５】
ヨーク１３、１３は、コイル１４、１５が巻回された後、先端部１３ａ、１３ａの端面が所定のギャップｇを存して対向して配置され、基端部１３ｂ、１３ｂの端面が密着して配置される。このとき対向する先端部１３ａ、１３ａの端面間に所定の板厚ｇの非磁性部材例えば、非磁性薄膜を介在させることにより、正確にギャップｇを設定することができる。
【００１６】
次いで、これらのヨーク１３のボルト孔１３ｅ、１３ｆにボルト１７、１８を挿通してホルダ１６のねじ孔１６ｅ、１６ｆに螺合し、これらのヨーク１３、１３をホルダ１６に固定する。これにより、ホルダ１６にヨーク１３、１３を正確に位置決めして固定することができる。コイル１４とコイル１５は直列に接続され、両端が端子２０、２０に接続される。そして、端子台１９がホルダ１６の基端部１６ｂに接着剤で固定される。
【００１７】
次いで、これらのヨーク１３、ホルダ１６、及び端子台１９をケース１２に収納し、ヨーク１３の先端部１３ａをケース１２の角孔１２ｂに嵌挿する。この状態において、ヨーク１６の先端部１６ａの先端面１６ｄがケース１２の摺動面１２ａの内側面に当接し、且つヨーク１３の先端部１３ａの検出面１３ｄが摺動面１２ａと面一をなし、端子台１９の下面がケース２の開口端１２ｂと同一面をなしている。そして、ケース１２の開口端と端子台１９との間の隙間からケース１２内にエポキシ樹脂等の樹脂部材が充填されてヨーク１３、コイル１４、１５、及びホルダ１６が一体にモールドされて固定される。このようにして、磁気ヘッド１１が構成される。尚、ヨーク１３のボルト孔１３ｅ、１３ｆによるヨーク１３の検出精度への影響については何ら問題ないことが確認されている。
【００１８】
磁気ヘッド１１は、片側の一つのホルダ１６によりヨーク１３、１３を固定して保持することで軽量化が図られる。また、ホルダ１６が片側だけであるためにケース１２のホルダ１６と反対側を２点鎖線で示すように小さくすることで、横幅を狭くすることができ、小型化及び軽量化、部品の削減等を図ることが可能である。
更に、一側のヨーク１３の孔１３ｅ、１３ｆをボルト孔（貫通孔）とし、他側のヨーク１３の対向する孔１３ｅ、１３ｆをねじ孔とし、ボルト１７、１８によりこれらのヨーク１３同士を固定し、基端部１３ｂ、１３ｂを端子台１９に接着剤で固定することで、ホルダ１６を無くすることも可能である。このようにすると磁気ヘッドを更に小型、軽量化することが可能となり、且つ部品点数の低減、組み立て工数の低減等が図られる。
【００１９】
尚、上記実施形態においては本発明を磁気ヘッドに適用した場合について記述したが、ヨークとしてのコア材に孔を開けて取り付けるだけでよいので、磁気センサ等のヨークにも適用し得ることは勿論である。
更に、上記実施形態においては、ヨークとしてパーマロイを使用した場合について説明したが、コア材であれば良いことは勿論である。
【図面の簡単な説明】
【００２０】
【図１】本発明に係る磁気ヘッドの実施形態を示す断面図である。
【図２】従来の磁気ヘッドの断面図である。
【符号の説明】
【００２１】
１１  磁気ヘッド
１２  ケース
１３  ヨーク
１４、１５  コイル
１６  ホルダ
１７、１８  ボルト（固定ねじ）
１９  端子台
２０  端子
２１  充填部材（エポキシ樹脂部材）
【図１】
2006302356.tif 000003
【図２】
2006302356.tif 000004